(57)【要約】【課題】  剥離シート上にラベルが剥離可能に貼着されてなる剥離シート付きラベル及び剥離シート付きラベル連続体において、薄くて柔らかい剥離シートを用いた場合においても、ラベルをこの剥離シートから簡単に剥離できるようにする。【解決手段】  剥離シート２０上にラベル１０が剥離可能に貼着されてなる剥離シート付きラベルにおいて、剥離シートにラベルよりも突出した突出部２１を形成すると共に、この突出部に切込み２２を形成するようにした。【選択図】  図１
2007286336.tif 000002
【特許請求の範囲】
【請求項１】
剥離シート上にラベルが剥離可能に貼着されてなる剥離シート付きラベルにおいて、上記の剥離シートにラベルよりも突出した突出部が形成され、この突出部に切込みが形成されていることを特徴とする剥離シート付きラベル。
【請求項２】
請求項１に記載した剥離シート付きラベルにおいて、上記の剥離シートの突出部における切込みが、ラベルの貼着箇所を超えて形成されていることを特徴とする剥離シート付きラベル。
【請求項３】
長尺状の剥離シート上にラベルが連続して剥離可能に貼着されてなる剥離シート付きラベル連続体において、上記の剥離シートとラベルとにそれぞれ切離し用切断線が長手方向と交差する方向に設けられ、ラベルにおける切離し用切断線よりも突出するようにして、剥離シートにおける切離し用切断線と接続するように突出部形成用切断線が剥離シートに形成されると共に、この突出部形成用切断線と交差するようにして剥離シートに切込みが形成されていることを特徴とする剥離シート付きラベル連続体。
【請求項４】
請求項３に記載した剥離シート付きラベル連続体において、上記の剥離シートにおける突出部形成用切断線が連続した切込み線であると共に、この突出部形成用切断線が突出される部分におけるラベルの切離し用切断線が連続した切込み線であることを特徴とする剥離シート付きラベル連続体。
【請求項５】
請求項３又は請求項４に記載した剥離シート付きラベル連続体において、突出部形成用切断線と交差するようにして剥離シートに形成される切込みが、剥離シートの長手方向に沿って連続して形成されていることを特徴とする剥離シート付きラベル連続体。
【発明の詳細な説明】
【技術分野】
【０００１】
この発明は、剥離シート上にラベルが剥離可能に貼着されてなる剥離シート付きラベル及び長尺状の剥離シート上にラベルが連続して剥離可能に貼着されてなる剥離シート付きラベル連続体に係り、特に、薄くて柔らかい剥離シートを用いた場合においても、ラベルをこのような薄くて柔らかい剥離シートから簡単に剥離できるようにした点に特徴を有するものである。
【背景技術】
【０００２】
従来より、剥離シート上にラベルを剥離可能に貼着させた剥離シート付きラベル及び長尺状の剥離シート上にラベルが連続して剥離可能に貼着されてなる剥離シート付きラベル連続体が様々な用途に使用されている。
【０００３】
ここで、このような剥離シート付きラベルにおいて、薄くて柔らかい剥離シートを用いた場合、この剥離シートがラベルと一緒に折れ曲がり、ラベルを手で剥離シートから剥離させることが困難になるという問題があった。
【０００４】
また、長尺状の剥離シート上にラベルが連続して剥離可能に貼着されてなる剥離シート付きラベル連続体においては、その一部のラベルの表面に携帯用プリンタなどによって印字を行った後、印字されたラベルを剥離シートから手で剥離させて商品や郵送物などに貼着させることが行われている。
【０００５】
特に、近年においては、上記のような剥離シート付きラベル連続体の嵩を小さくして、長い剥離シート付きラベル連続体が得られるようにするため、薄くて柔らかい剥離シートを用いることが要望されるようになり、また上記のように一部のラベルの表面に携帯用プリンタなどによって印字を行った後、印字されたラベルを剥離シートと一緒に切断させた後、このラベルを上記の剥離シートから剥離させて商品や郵送物などに貼着させることが行われている。
【０００６】
ここで、従来においては、印字された一部のラベルを剥離シートから簡単に剥離できるようにするため、ラベル間における切り取り用のミシン目を２列設け、両ミシン目の反対側の端部にそれぞれ切り込みを設けて、ミシン目の両側に摘み用のコーナー部を形成するようにした剥離シート付きラベル連続体が提案されている（例えば、特許文献１参照。）。
【０００７】
しかし、このような剥離シート付きラベル連続体においても、薄くて柔らかい剥離シートを用いた場合には、この剥離シートがラベルと一緒に折れ曲がり、ラベルを手でこの剥離シートから簡単に剥離させることができず、上記のように印字されたラベルを剥離シートと一緒に切断させた後、このラベルをこのような薄くて柔らかい剥離シートから簡単に剥離させて、商品や郵送物などに貼着させることは非常に困難であった。
【特許文献１】特開２００６−５３５７０号公報
【発明の開示】
【発明が解決しようとする課題】
【０００８】
この発明は、剥離シート上にラベルが剥離可能に貼着されてなる剥離シート付きラベル及び長尺状の剥離シート上にラベルが連続して剥離可能に貼着されてなる剥離シート付きラベル連続体において、薄くて柔らかい剥離シートを用いた場合においても、ラベルをこのような薄くて柔らかい剥離シートから簡単に剥離できるようにすることを課題とするものである。
【課題を解決するための手段】
【０００９】
この発明における剥離シート付きラベルにおいては、上記のような課題を解決するため、剥離シート上にラベルが剥離可能に貼着されてなる剥離シート付きラベルにおいて、上記の剥離シートにラベルよりも突出した突出部を形成すると共に、この突出部に切込みを形成するようにした。
【００１０】
ここで、この剥離シート付きラベルにおいて、上記のように剥離シートの突出部に切込みを形成するにあたっては、この切込みを突出部からラベルの貼着箇所を越えて形成することが好ましい。
【００１１】
また、この発明における剥離シート付きラベル連続体においては、上記のような課題を解決するため、長尺状の剥離シート上にラベルが連続して剥離可能に貼着されてなる剥離シート付きラベル連続体において、上記の剥離シートとラベルとにそれぞれ切離し用切断線を長手方向と交差する方向に設け、ラベルにおける切離し用切断線よりも突出するようにして、剥離シートにおける切離し用切断線と接続するように突出部形成用切断線を剥離シートに形成すると共に、この突出部形成用切断線と交差するようにして剥離シートに切込みを形成するようにした。
【００１２】
ここで、この剥離シート付きラベル連続体においては、上記の剥離シートにおける突出部形成用切断線を連続した切込み線で形成すると共に、この突出部形成用切断線が突出される部分におけるラベルの切離し用切断線を連続した切込み線で形成することが好ましい。
【００１３】
さらに、この剥離シート付きラベル連続体においては、突出部形成用切断線と交差するようにして剥離シートに形成する切込みを、剥離シートの長手方向に沿って連続して形成することが好ましい。
【発明の効果】
【００１４】
この発明における剥離シート付きラベルにおいては、上記のように剥離シートにラベルよりも突出した突出部を形成すると共に、この突出部に切込みを形成するようにしたため、この突出部を指でもち、上記の切込みに沿って剥離シートを分離させるようにラベルが貼着された位置まで切り開くことにより、ラベルを剥離シートから簡単に剥離させることができるようになる。特に、薄くて柔らかい剥離シートを用いた場合には、切込みに沿って剥離シートを分離させるようにラベルが貼着された位置まで簡単に切り開くことができるようになると共に、上記のようにしてラベルをこの薄くて柔らかい剥離シートから簡単に剥離させることができるようになる。
【００１５】
また、突出部に形成する上記の切込みをラベルの貼着箇所を越えて形成すると、この切込みに沿って剥離シートを分離させるようにラベルが貼着された位置まで切り開くことが簡単に行えるようになり、ラベルを剥離シートから剥離させることがより簡単に行えるようになる。
【００１６】
また、この発明における剥離シート付きラベル連続体においては、上記のように剥離シートとラベルとにそれぞれ切離し用切断線を長手方向と交差する方向に設け、ラベルにおける切離し用切断線よりも突出するようにして、剥離シートにおける切離し用切断線と接続するように突出部形成用切断線を剥離シートに形成すると共に、この突出部形成用切断線と交差するようにして剥離シートに切込みを形成するようにしたため、剥離シートとラベルとをそれぞれ切離し用切断線に沿って一緒に切断させた場合に、剥離シートに設けられた突出部形成用切断線に沿って、剥離シートにラベルよりも突出した突出部が形成されると共に、この突出部に切込みが形成されるようになる。
【００１７】
そして、このように剥離シートと一緒に切断されたラベルを剥離シートから剥離させる場合には、上記の剥離シート付きラベルの場合と同様にして、ラベルをこの剥離シートから簡単に剥離させることができるようになる。
【００１８】
また、この発明における剥離シート付きラベル連続体において、上記の剥離シートにおける突出部形成用切断線を連続した切込み線で形成すると共に、この突出部形成用切断線が突出される部分におけるラベルの切離し用切断線を連続した切込み線で形成すると、剥離シートとラベルとをそれぞれ切離し用切断線に沿って一緒に切断させる場合に、剥離シートにおける突出部がラベルと一緒に切断されるのが防止されるようになり、上記のような剥離シート付きラベルが簡単かつ確実に得られるようになる。
【００１９】
さらに、この剥離シート付きラベル連続体において、突出部形成用切断線と交差するようにして剥離シートに形成する切込みを、剥離シートの長手方向に沿って連続して形成すると、上記のように剥離シートとラベルをそれぞれ切離し用切断線に沿って一緒に切断させた場合において、ラベルよりも突出した剥離シートの突出部における切込みが、ラベルの貼着箇所を越えて剥離シート全体に形成されるようになり、上記のようにこの切込みに沿って剥離シートを分離させるようにして、ラベルを剥離シートから剥離させることがより簡単に行えるようになる。
【発明を実施するための最良の形態】
【００２０】
以下、この発明の実施形態に係る剥離シート付きラベル及び剥離シート付きラベル連続体を添付図面に基づいて具体的に説明する。なお、この発明に係る剥離シート付きラベル及び剥離シート付きラベル連続体は、特に下記の実施形態に示したものに限定されるものではなく、その要旨を変更しない範囲において適宜変更して実施できるものである。
【００２１】
（実施形態１）
この実施形態における剥離シート付きラベルにおいては、図１（Ａ），（Ｂ）に示すように、剥離シート２０の上に粘着剤１１によりラベル１０が剥離可能に貼着されている。そして、上記の剥離シート２０にラベル１０よりも突出した突出部２１が形成されると共に、この突出部２１からラベル１０が貼着された剥離シート２０の全長に伸びた切込み２２が形成されている。
【００２２】
そして、この実施形態における剥離シート付きラベルにおいて、剥離シート２０からラベル１０を剥離させるにあたっては、剥離シート２０における突出部２１を指でもち、図２に示すように、上記の切込み２２に沿って剥離シート２０を分離させるように切り開いて、ラベル１０を剥離シート２０から剥離させるようにする。
【００２３】
このようにすると、上記の剥離シート２０が薄くて柔らかい場合においても、ラベル１０をこの剥離シート２０から簡単に剥離できるようになる。
【００２４】
なお、この実施形態の剥離シート付きラベルにおいては、剥離シート２０の突出部２１からラベル１０が貼着された剥離シート２０の全長に伸びた切込み２２を形成するようにしたが、図３に示すように、剥離シート２０の突出部２１にだけ切込み２２を形成することも可能である。
【００２５】
そして、このように剥離シート２０の突出部２１にだけ切込み２２を形成した場合においても、上記のように突出部２１を指でもち、この切込み２２に沿って剥離シート２０を分離させるようにラベル１０が貼着された位置まで切り開くことにより、上記の場合と同様に、ラベル１０を剥離シート２０から簡単に剥離させることができるようになる。
【００２６】
（実施形態２）
この実施形態における剥離シート付きラベル連続体においては、図４及び図５に示すように、長尺状の剥離シート２０上にラベル１０を連続して形成するにあたり、ラベル１０と剥離シート２０とにそれぞれミシン目からなる切離し用切断線１３，２３を長手方向に所要間隔を介してこの長手方向と交差する方向に設けるようにしている。
【００２７】
そして、上記の剥離シート２０に、ラベル１０における切離し用切断線１３よりも突出するようにして連続した切込み線からなる突出部形成用切断線２４を上記の切離し用切断線２３と接続するようにして形成すると共に、この突出部形成用切断線１４と交差するようにして、連続した切込み２２をこの剥離シート２０の長手方向に沿って形成している。
【００２８】
一方、ラベル１０においては、剥離シート２０の突出部形成用切断線２４が突出される部分における上記の切離し用切断線１３を、直線状の連続した切込み線１４になるようにしている。
【００２９】
そして、上記の剥離シート付きラベル連続体において、ラベル１０と剥離シート２０とに設けられた切離し用切断線１３，２３に沿って、ラベル１０と剥離シート２０とを一緒に切断させるようにすると、剥離シート２０に設けられた突出部形成用切断線２４に沿って剥離シート２０が切断される一方、この突出部形成用切断線２４に対応した部分のラベル１０は上記の直線状の連続した切込み線１４に沿って直線状に切断されるようになる。
【００３０】
この結果、図６（Ａ），（Ｂ）に示すように、上記の実施形態１の剥離シート付きラベルとほぼ同様に、剥離シート２０の上に粘着剤１１によりラベル１０が剥離可能に貼着され、この剥離シート２０にラベル１０よりも突出した突出部２１が形成されると共に、この突出部２１からラベル１０が貼着された剥離シート２０の全長に伸びた切込み２２が形成された剥離シート付きラベルが得られるようになる。なお、この剥離シート付きラベルにおいては、図６（Ｂ）に示すように、次の剥離シート付きラベルにおける突出部２１に対応した部分において、ラベル１０の粘着剤１１が露出するようになる。
【００３１】
そして、このようにして得た剥離シート付きラベルにおいても、上記の実施形態１の剥離シート付きラベルと同様に、剥離シート２０における突出部２１を指でもち、上記の切込み２２に沿って剥離シート２０を分離させるように切り開いて、ラベル１０を剥離シート２０から簡単に剥離させることができる。
【００３２】
なお、上記の剥離シート付きラベル連続体において、上記のように切離し用切断線１３，２３に沿ってラベル１０と剥離シート２０とを一緒に切断させて剥離シート付きラベルを得るあたり、複数枚のラベル１０をまとめて使用するために、所定枚数のラベル１０の位置において、上記の切離し用切断線１３，２３に沿ってラベル１０と剥離シート２０とを一緒に切断させるようにすることも可能である。
【００３３】
また、この実施形態における剥離シート付きラベル連続体においては、ラベル１０におけるミシン目からなる切離し用切断線１３と剥離シート２０におけるミシン目からなる切離し用切断線２３とが、長手方向の同じ位置になるようして形成したが、ラベル１０におけるミシン目からなる切離し用切断線１３と剥離シート２０におけるミシン目からなる切離し用切断線２３とを、長手方向において僅かにずらせて形成することも可能である。
【００３４】
また、この実施形態における剥離シート付きラベル連続体においては、剥離シート２０をラベル１０よりも幅広に形成しているが、図７に示すように、剥離シート２０とラベル１０とを同じ幅にすることも可能であり、このように剥離シート２０とラベル１０とを同じ幅にすると、ラベル１０の幅を有効に利用できると共に、連続したラベル１０両側のカス取りを行う工程を省略することができる。
【００３５】
また、この実施形態における剥離シート付きラベル連続体においては、剥離シート２０に設けられた各切離し用切断線２３の位置において突出部形成用切断線２４を形成するようにしたが、図８に示すように、突出部形成用切断線２４を設けていない切離し用切断線２３と、突出部形成用切断線２４を設けた切離し用切断線２３とを交互に設けるようにしたり、突出部形成用切断線２４を設けた切離し用切断線２３間にさらに多くの突出部形成用切断線２４を設けていない切離し用切断線２３を介在させるようにすることも可能である。
【図面の簡単な説明】
【００３６】
【図１】この発明の実施形態１に係る剥離シート付きラベルを示し、（Ａ）は概略平面図、（Ｂ）は概略側面図である。
【図２】上記の実施形態１に係る剥離シート付きラベルにおいて、剥離シートをラベルから剥離させる状態を示した概略説明図である。
【図３】上記の実施形態１に係る剥離シート付きラベルの変更例を示した概略平面図である。
【図４】この発明の実施形態２に係る剥離シート付きラベル連続体の概略平面図である。
【図５】上記の実施形態２に係る剥離シート付きラベル連続体の概略底面図である。
【図６】上記の実施形態２に係る剥離シート付きラベル連続体から切断させた１つの剥離シート付きラベルを示し、（Ａ）は概略平面図、（Ｂ）は概略底面図である。
【図７】上記の実施形態２に係る剥離シート付きラベル連続体の第１の変更例を示した概略平面図である。
【図８】上記の実施形態２に係る剥離シート付きラベル連続体の第２の変更例を示した概略底面図である。
【符号の説明】
【００３７】
１０  ラベル
１１  粘着剤
１３  切離し用切断線
１４  切込み線
２０  剥離シート
２１  突出部
２２  切込み
２３  切離し用切断線
２４  突出部形成用切断線
【図１】
2007286336.tif 000003
【図２】
2007286336.tif 000004
【図３】
2007286336.tif 000005
【図４】
2007286336.tif 000006
【図５】
2007286336.tif 000007
【図６】
2007286336.tif 000008
【図７】
2007286336.tif 000009
【図８】
2007286336.tif 000010